(57)【要約】【課題】  洗浄力が高く、更に濯ぎ時におけるぬるつきの除去性がよい液体洗浄剤組成物の提供。【解決手段】  （ａ）下記一般式（１）で表される化合物等から選ばれる化合物を0.1〜30質量％、（ｂ）炭素数１０〜１８の炭化水素基を有する陰イオン界面活性剤を５〜５０質量％、（ｃ）炭素数８〜１８の炭化水素基を有するアミンオキシド型界面活性剤、両性界面活性剤、及びアルカノールアミド型界面活性剤から選ばれる界面活性剤を0.1〜30質量％、並びにび水を含有する液体洗浄剤組成物。    Ｒ１ａ−ＯＣＨ２ＣＨ（ＯＨ）ＣＨ２ＯＨ      （１）〔式中、Ｒ１ａは、イソノニル基又はイソデシル基である。〕【選択図】  なし【特許請求の範囲】
【請求項１】
（ａ）下記一般式（１）〜（５）で表される化合物から選ばれる化合物を０．１〜１０質量％、
（ｂ）炭素数１０〜１８の炭化水素基を有する陰イオン界面活性剤を５〜５０質量％、
（ｃ）炭素数８〜１８の炭化水素基を有するアミンオキシド型界面活性剤、両性界面活性剤、及びアルカノールアミド型界面活性剤から選ばれる界面活性剤を０．１〜３０質量％、並びに水を含有する液体洗浄剤組成物。
Ｒ１ａ−ＯＣＨ２ＣＨ（ＯＨ）ＣＨ２ＯＨ      （１）
〔式中、Ｒ１ａは、イソノニル基又はイソデシル基である。〕
Ｒ２ａ−Ｃ（Ｒ２ｂ）（ＯＨ）ＣＨ２ＯＨ      （２）
〔式中、Ｒ２ａは炭素数６〜１０のアルキル基であり、Ｒ２ｂは水素原子又は炭素数１〜３のアルキル基である。〕
Ｒ３ａ−ＣＯＮ（Ｒ３ｂ）−Ａ      （３）
〔式中、Ｒ３ａは、３級炭素及び／又は４級炭素を１つ以上有する炭素数６〜１０のアルキル基であり、Ｒ３ｂは水素原子、又は炭素数１〜３のアルキル基もしくはヒドロキシアルキル基である。また、Ａは還元アミノ化糖の窒素原子を除いた残基である。〕
Ｒ４ａ−ＣＯＯＣＨ２ＣＨ（ＯＨ）ＣＨ２ＯＨ      （４）
〔式中、Ｒ４ａは、２−エチルヘキサン酸、イソノナン酸、又はイソデカン酸のカルボニル基を除いた残基である。〕
Ｒ５ａ−ＣＨ（ＯＨ）ＣＨ（Ｒ５ｂ）ＣＨ２ＯＨ      （５）
〔式中、Ｒ５ａは、炭素数５〜１０のアルキル基であり、Ｒ５ｂは、炭素数２〜７のアルキル基である。〕
【発明の詳細な説明】
【技術分野】
【０００１】
本発明は、液体洗浄剤組成物、特に台所まわり、食器や調理器具等の硬質表面の洗浄に適した液体洗浄剤組成物に関する。
【背景技術】
【０００２】
ポリヒドロキシ化合物を食器洗い洗浄剤などの液体洗浄剤に応用する技術が知られており、特許文献１〜３には、アルキルグリセリルエーテルを液体洗浄剤に用いる技術が開示されており、特許文献４〜６にはモノグリセリン脂肪酸エステルを含有する洗浄剤が開示されており、特許文献７〜１０にはポリヒドロキシ脂肪酸アミドを含有する洗浄剤組成物が開示されている。また、これらの多くは、陰イオン界面活性剤やアミンオキシド、両性界面活性剤、アルカノールアミド型界面活性剤と併用されている。
【特許文献１】特開２００１−１９９９３号公報
【特許文献２】特開２００１−４９２９１号公報
【特許文献３】特開平１１−３１０７９２号公報
【特許文献４】特開２００２−２９４２８６号公報
【特許文献５】特開２００３−２６１８９８号公報
【特許文献６】特開平８−１２９９５号公報
【特許文献７】特開平１１−２４６８９０号公報
【特許文献８】特表２００１−５２０２６５号公報
【特許文献９】特表２００１−５２２９３０号公報
【特許文献１０】特表２００２−５０７２３９号公報
【発明の開示】
【発明が解決しようとする課題】
【０００３】
食器洗い用洗浄剤などの液体洗浄剤組成物には、洗浄時に泡立ち性及び泡持ち性が要求され、これらの課題を解決する目的からは、アミンオキシド型界面活性剤を増泡剤として併用することが好ましい。アミンオキサイドは泡特性のみならず、陰イオン界面活性剤と併用することで洗浄力も向上させる。これはアミンオキサイドが、中・酸性領域において陽イオン性の性質を持つため、陰イオン界面活性剤の陰イオンとイオン性のコンプレックスを形成し、これにより油に対する乳化力が向上し、結果として洗浄力が向上するものと思われる。
【０００４】
また近年、界面活性剤の濃度を高め、コンパクト化した濃縮タイプの液体洗浄剤が好まれて使用されている。このような濃縮化の傾向があるにもかかわらず、食器洗い用洗浄剤の使用方法は、以前にも増してスポンジに洗浄剤を直接塗付して洗浄する方法が一般化してきており、硬質表面に高濃度の界面活性剤が接触しやすくなっている。
【０００５】
高濃度の界面活性剤と硬質表面の接触は、硬質表面に付着した油汚れを除去しやすくする一方で、過剰な界面活性剤が、特に濯ぎ時におけるぬるつきの問題を発生させる原因となる。ぬるつきとは、指や掌などの身体と洗浄対象表面との間で感じられるものであり、洗浄剤がまるで油膜として平滑な被洗浄表面に存在するような感触である。基本的にぬるつきは、濯ぎを充分に行なうこと（通常の濯ぎ時間よりも濯ぎ時間を長くすること）で解消できるが、濯ぎ時のなかなか拭えないぬるつき感は好ましいものでなく、濯ぎ時間の増加による濯ぎ水の浪費にも繋がる。
【０００６】
ぬるつきは、アミンオキサイド型界面活性剤を使用することでより顕著になる。原因としては、アミオキサイド型界面活性剤自体が他の界面活性剤と比較してぬるつき易い性質を示すことが挙げられるが、前記コンプレックスの形成も影響していることが推測される。アミンオキシド型界面活性剤の量を低減化すると濯ぎ時のぬるつきは改善されるものの、泡立ち性が損なわれる。
【０００７】
従って本発明が解決しようとする課題は、泡立ち性がよく、洗浄力が高く、更に濯ぎ時におけるぬるつきの除去性がよい液体洗浄剤組成物を提供することにある。
【課題を解決するための手段】
【０００８】
本発明は、課題の解決手段として、
（ａ）下記一般式（１）〜（５）で表される化合物から選ばれる化合物を０．１〜１０質量％、
（ｂ）炭素数１０〜１８の炭化水素基を有する陰イオン界面活性剤を５〜５０質量％、
（ｃ）炭素数８〜１８の炭化水素基を有するアミンオキシド型界面活性剤、両性界面活性剤、及びアルカノールアミド型界面活性剤から選ばれる界面活性剤を０．１〜３０質量％、並びに水を含有する液体洗浄剤組成物を提供する。
【０００９】
Ｒ１ａ−ＯＣＨ２ＣＨ（ＯＨ）ＣＨ２ＯＨ      （１）
〔式中、Ｒ１ａは、イソノニル基又はイソデシル基である。〕
Ｒ２ａ−Ｃ（Ｒ２ｂ）（ＯＨ）ＣＨ２ＯＨ      （２）
〔式中、Ｒ２ａは炭素数６〜１０のアルキル基であり、Ｒ２ｂは水素原子又は炭素数１〜３のアルキル基である。〕
Ｒ３ａ−ＣＯＮ（Ｒ３ｂ）−Ａ      （３）
〔式中、Ｒ３ａは、３級炭素及び／又は４級炭素を１つ以上有する炭素数６〜１０のアルキル基であり、Ｒ３ｂは水素原子、又は炭素数１〜３のアルキル基もしくはヒドロキシアルキル基である。また、Ａは還元アミノ化糖の窒素原子を除いた残基である。〕
Ｒ４ａ−ＣＯＯＣＨ２ＣＨ（ＯＨ）ＣＨ２ＯＨ      （４）
〔式中、Ｒ４ａは、２−エチルヘキサン酸、イソノナン酸、又はイソデカン酸のカルボニル基を除いた残基である。〕
Ｒ５ａ−ＣＨ（ＯＨ）ＣＨ（Ｒ５ｂ）ＣＨ２ＯＨ      （５）
〔式中、Ｒ５ａは、炭素数５〜１０のアルキル基であり、Ｒ５ｂは、炭素数２〜７のアルキル基である。〕
【発明の効果】
【００１０】
本発明の液体洗浄剤組成物は、洗浄力が高く、泡立ち性がよく、濯ぎ時にはぬるつきが容易に取り除かれる。
【発明を実施するための最良の形態】
【００１１】
＜（ａ）成分＞
本発明の（ａ）成分は下記一般式（１）〜（５）で表される化合物から選ばれる化合物である。
【００１２】
Ｒ１ａ−ＯＣＨ２ＣＨ（ＯＨ）ＣＨ２ＯＨ      （１）
〔式中、Ｒ１ａは、イソノニル基又はイソデシル基である。〕
一般式（１）の化合物は、イソノナノール又はイソデカノールとエピクロルヒドリン等のエピハロヒドリンもしくはグリシドール等のエポキシ化合物を、ＢＦ３等の酸触媒、又はアルミニウム触媒を用いて反応させて製造する方法が一般的であり、特開２００１−４９２９１号公報に記載されているように複数の生成物を含む混合物である。
【００１３】
Ｒ２ａ−Ｃ（Ｒ２ｂ）（ＯＨ）ＣＨ２ＯＨ      （２）
〔式中、Ｒ２ａは炭素数６〜１０のアルキル基、好ましくは３級炭素及び／又は４級炭素を１つ以上有する炭素数６〜１０のアルキル基であり、Ｒ２ｂは水素原子又は炭素数１〜３のアルキル基である。〕
一般式（２）の化合物は、１，２−アルキルジオール化合物であり、具体的には１，２−オクタンジオール、１，２−デカンジオール、１，２−ドデカンジオールを挙げることができ、これらはアルドリッチ社から購入することができる。また、好ましい化合物としては、２−メチル−１−ウンデセン、２−メチル−１−ノネン等のαオレフィン化合物を過酢酸などを用いてエポキシ化した後、加水分解することで２位にメチル基を有する１，２−アルキルジオールを得ることもえきる。具体的には２−メチル−１，２−ウンデカンジオール、２−メチル−１，２−ノナンジオールを挙げることができる。
【００１４】
Ｒ３ａ−ＣＯＮ（Ｒ３ｂ）−Ａ      （３）
〔式中、Ｒ３ａは、３級炭素及び／又は４級炭素を１つ以上有する炭素数６〜１０のアルキル基であり、Ｒ３ｂは水素原子、又は炭素数１〜３のアルキル基もしくはヒドロキシアルキル基である。また、Ａは還元アミノ化糖の窒素原子を除いた残基である。〕
一般式（３）の化合物は、還元アミノ化された糖とＲ３ａ−ＣＯＯＨ、Ｒ３ａ−ＣＯＯＲ３ｃ（Ｒ３ｃは、メチル基又はエチル基）、Ｒ３ａ−ＣＯＣｌなどのアシル化剤との反応で容易に得ることができる。ここで還元アミノ化糖とは、アルドース又はケトースとアンモニア、メチルアミン等のアミン化合物との反応で得られたイミンを水素化して得られる化合物であり、アルドースとして具体的にはアピオース、アラビノース、ガラクトース、グルコース、リキソース、マンノース、ガロース、アルドース、イドース、タロース、キシロースを挙げることができ、ケトースとしてはフラクトースを挙げることができる。本発明では、これらの中でも特に炭素数５又は６のアルドペントース又はアルドヘキソースから得られる還元アミノ化糖が好ましく、中でもグルカミンが最も好ましい。
【００１５】
一般式（３）の化合物においてＲ３ａは、好ましくは２−エチルヘキサン酸、イソノナン酸、イソデカン酸のカルボン酸基を除いた残基が好適であり、特に２−エチルヘキサン酸のカルボン酸基を除いた残基が好ましい。
【００１６】
Ｒ４ａ−ＣＯＯＣＨ２ＣＨ（ＯＨ）ＣＨ２ＯＨ      （４）
〔式中、Ｒ４ａは、２−エチルヘキサン酸、イソノナン酸、又はイソデカン酸のカルボニル基を除いた残基である。〕
一般式（４）の化合物は、グリセリンと２−エチルヘキサン酸、ｉｓｏ−ノナン酸、ｉｓｏ−デカン酸（又はこれらの低級アルキルエステル、酸クロライド）とのエステル化反応（又はエステル交換反応）で得ることができる。但し、この場合、モノエステル化体、ジエステル化体、トリエステル化体の混合物が得られる。本発明においてはこれら混合物中のモノエステル化体の含量が６０モル％以上、好ましくは８０モル％以上のものを用いることが好ましい。
【００１７】
Ｒ５ａ−ＣＨ（ＯＨ）ＣＨ（Ｒ５ｂ）ＣＨ２ＯＨ      （５）
〔式中、Ｒ５ａは、炭素数５〜１０のアルキル基、好ましくは３級炭素及び／又は４級炭素を１つ以上有する炭素数５〜１０のアルキル基であり、Ｒ５ｂは、炭素数２〜６のアルキル基である。〕
一般式（５）の化合物の具体例としては、２−エチル−１，３−ヘキサンジオールを挙げることができ、これはアルドリッチ社から入手することができる。また、他の２−アルキル−１、３−アルキルジオールは、炭素数Ｃ４〜Ｃ８のアルデヒド化合物をアルドール縮合等により縮合させた後、水素化することで得ることができ、例えば以下の反応で合成できる。なお、Ｒ５ｂは、この場合Ｒ５ａの炭素数より１つ少ないアルキル基になる。
【００１８】
【化１】
2005171060.tif 000002
【００１９】
＜（ｂ）成分＞
本発明の（ｂ）成分は、炭素数１０〜１８の炭化水素基を有する陰イオン界面活性剤であり、好ましい具体例としては炭素数１０〜１５のアルキル基を有するアルキルベンゼンスルホン酸又はその塩、炭素数１０〜１６のモノアルキル硫酸エステル塩、炭素数１０〜１６のアルキル基を有し炭素数２又は３のオキシアルキレン基が平均１．０〜４．０モル付加したポリオキシアルキレンアルキルエーテル硫酸エステル塩、炭素数８〜１６のα−オレフィンスルホン酸塩、α−スルホ脂肪酸（炭素数８〜１６）低級アルキル（炭素数１〜３）エステル塩を挙げることができる。塩としてはナトリウム塩、カリウム塩、マグネシウム塩、アルカノールアミン塩が挙げられ、特に粘度の点からナトリウム塩、カリウム塩、マグネシウム塩が好ましい。
【００２０】
本発明では、特に炭素数１０〜１４のアルキル基を有し、炭素数２又は３のオキシアルキレン基、好ましくはオキシエチレン基が平均１．０〜３．０モル、特に好ましくは１．５〜３．０モル付加したポリオキシアルキレンアルキルエーテル硫酸エステル塩、好ましくはナトリウム塩、カリウム塩、又はマグネシウム塩を用いることが洗浄効果の点から好ましく、また、高濃度の陰イオン界面活性剤を含有する組成物の低温又は高温における貯蔵安定性を改善できるため好ましい。
【００２１】
（ｂ）成分としてポリオキシアルキレンアルキルエーテル硫酸エステル塩を用いる場合、直鎖１−アルケンをヒドロホルミル化して得られたアルコールを原料にして製造された分岐鎖１級アルキル基を有するポリオキシアルキレンアルキルエーテル硫酸エステル塩が好適である。ここで、ヒドロホルミル化とは、鉄、コバルト又はニッケル等のカルボニル錯体を触媒として用い、直鎖１−アルケンに一酸化炭素を付加させてアルコールを得る方法であり、直鎖アルキル基とメチル分岐アルキル基を含有するアルコールが得られる。
【００２２】
ポリオキシアルキレンアルキルエーテル硫酸エステル塩はこのようなアルコールに、更にアルキレンオキシド、好ましくはプロピレンオキシド（以下、ＰＯと表記する）又はエチレンオキシド（以下、ＥＯと表記する）、より好ましくはＥＯを付加させ、更に三酸化イオウ又はクロルスルホン酸でスルホン化し、アルカリ剤で中和して得ることができる。平均付加モル数は、洗浄効果の点から、好ましくは１．０〜３．０、より好ましくは１．５〜３．０、特に好ましくは１．５〜２．５である。中和に用いるアルカリ剤としては、水酸化ナトリウム、水酸化カリウム、水酸化マグネシウム、炭酸ナトリウム、炭酸カリウム、炭酸マグネシウムが好ましく、更に好ましくは水酸化ナトリウム、、水酸化カリウム、水酸化マグネシウムである。
【００２３】
このようにして得られたポリオキシアルキレンアルキルエーテル硫酸エステル塩は分岐鎖アルキル基を含むものであり、全ポリオキシアルキレンアルキルエーテル硫酸エステル塩に対するポリオキシアルキレン分岐鎖アルキルエーテル硫酸エステル塩の質量比は５〜８０質量％、更に１０〜７０質量％が優れた洗浄効果を達成するために好ましい。
【００２４】
特にポリオキシアルキレンアルキルエーテル硫酸エステル塩を、組成物中に１０質量％を超えて配合する場合（例えば、１５〜４０質量％の濃度で配合する場合）は、ポリオキシアルキレンアルキルエーテル硫酸エステル塩中のポリオキシアルキレン分岐鎖アルキルエーテル硫酸エステル塩の含有量は、上記含有量の範囲を満たすことが好ましい。ポリオキシアルキレンアルキルエーテル硫酸エステル塩自体は、他の界面活性剤よりもぬるつき感の少ない性質を示すが、アミンオキサイド型界面活性剤との併用によるぬるつき感の上昇とともに、高濃度化による増粘やゲル化によって被洗浄表面に残留しやすくなることから、ぬるつき感の増大が懸念されるが、上記した分岐鎖物の含有量範囲を満たすことにより、ぬるつき感が低減されるので好ましい。
【００２５】
＜（ｃ）成分＞
本発明の（ｃ）成分は、炭素数８〜１８の炭化水素基を有するアミンオキシド型界面活性剤、両性界面活性剤、及びアルカノールアミド型界面活性剤から選ばれる界面活性剤であり、具体的には下記一般式（６）〜（８）の化合物を挙げることができる。
【００２６】
【化２】
2005171060.tif 000003
【００２７】
〔式中、Ｒ６ａは炭素数８〜１６のアルキル基又はアルケニル基であり、Ｒ６ｂは炭素数１〜６のアルキレン基であり、Ｂは−ＣＯＯ−、−ＣＯＮＨ−、−ＯＣＯ−、−ＮＨＣＯ−から選ばれる基である。ａは０又は１の数であり、Ｒ６ｃ、Ｒ６ｄは、それぞれ炭素数１〜３のアルキル基又はヒドロキシアルキル基である。〕
【００２８】
【化３】
2005171060.tif 000004
【００２９】
〔式中、Ｒ７ａは炭素数９〜１７のアルキル基又はアルケニル基であり、Ｒ７ｂは炭素数１〜６のアルキレン基である。Ｄは−ＣＯＯ−、−ＣＯＮＨ−、−ＯＣＯ−、−ＮＨＣＯ−、−Ｏ−から選ばれる基であり、ｂは０又は１の数である。Ｒ７ｃ、Ｒ７ｄは、それぞれ炭素数１〜３のアルキル基又はヒドロキシアルキル基であり、Ｒ７ｅはヒドロキシ基で置換していてもよい炭素数１〜５のアルキレン基である。Ｅは−ＳＯ３−、−ＯＳＯ３−、−ＣＯＯ−から選ばれる基である。〕
【００３０】
【化４】
2005171060.tif 000005
【００３１】
〔式中、Ｒ８ａ−ＣＯ−は炭素数８〜２０の飽和又は不飽和のアシル基であり、Ｒ８ｂはメチル基、エチル基又は−（Ｃ２Ｈ４Ｏ）ｃ−Ｈである。また、Ｒ８ｃは−（Ｃ２Ｈ４Ｏ）ｄ−Ｈである。ｃ、ｄはそれぞれ０〜５の数であり、ｃ＋ｄは１〜６である。〕
一般式（６）において、Ｒ６ａは、好ましくは炭素数１０〜１４のアルキル基又はアルケニル基であり、特に好ましくはラウリル基（又はラウリン酸残基）及び／又はミリスチル基（又はミリスチン酸残基）である。Ｂは、好ましくは−ＣＯＯ−又は−ＣＯＮＨ−であり、最も好ましくは−ＣＯＮＨ−である。Ｒ６ｂの炭素数は、好ましくは２又は３であり、Ｒ６ｃ、Ｒ６ｄは、好ましくはメチル基である。
【００３２】
本発明では、Ｒ６ａは単独のアルキル（又はアルケニル）鎖長でもよく、異なるアルキル（又はアルケニル）鎖長を有する混合アルキル基（又はアルケニル基）であってもよい。後者の場合には、ヤシ油、パーム核油から選ばれる植物油から誘導される混合アルキル（又はアルケニル）鎖長を有するものが好適である。具体的にはラウリル基（又はラウリン酸残基）／ミリスチル基（又はミリスチン酸残基）のモル比が９５／５〜２０／８０、好ましくは９０／１０〜３０／７０であることが洗浄効果、及び泡立ち性の点から好ましい。
【００３３】
一般式（７）において、Ｒ７ａは、好ましくは炭素数９〜１５、特に９〜１３のアルキル基であり、Ｒ７ｂは、好ましくは炭素数２又は３のアルキレン基である。Ｄは−ＣＯＮＨ−が好ましい。Ｒ７ｃ、Ｒ７ｄは、メチル基、又はヒドロキシエチル基が好ましい。Ｅは−ＳＯ３−、又は−ＣＯＯ−が好ましく、Ｅが−ＳＯ３−の場合にはＲ７ｅは−ＣＨ２ＣＨ(ＯＨ)ＣＨ２−が好ましく、Ｅが−ＣＯＯ−の場合にはＲ７ｅはメチレン基が好ましい。
【００３４】
一般式（８）の化合物において、Ｒ８ａ−ＣＯ−は、炭素数８〜１７の飽和又は不飽和のアシル基が好ましい。好ましい具体的例としては、オクタン酸、デカン酸、ドデカン酸、テトラデカン酸、ヘキサデカン酸、オクタデカン酸、ドコサン酸、リノール酸、２−エチルヘキサン酸、２−オクチルウンデカン酸、イソステアリン酸、オレイン酸から誘導されるアシル基が挙げられ、特に好ましくは、オクタン酸、デカン酸、ドデカン酸、テトラデカン酸、ヘキサデカン酸、オクタデカン酸、オレイン酸から誘導されるアシル基である。
【００３５】
一般式（８）の化合物においてＲ８ｂは、メチル基、エチル基又は−（Ｃ２Ｈ４Ｏ）ｃ−Ｈであり、洗浄効果の持続性の点から好ましくはメチル基又は水素原子（ｃ＝０）である。また、Ｒ８ｃは−（Ｃ２Ｈ４Ｏ）ｄ−Ｈであり、ｄは洗浄効果の持続性の点から好ましくは１〜５、特に好ましくは１〜３の数である。
【００３６】
一般式（８）の化合物の好ましい具体的例としては、一般式（８−１）及び一般式（８−２）を挙げることができる。
【００３７】
【化５】
2005171060.tif 000006
【００３８】
〔式中、Ｒ８ｂ及びｄは上記と同じ意味である。〕
＜その他の成分＞
本発明では、（ｂ）成分の乳化力を向上させ、洗浄効果を強化する目的から、マグネシウム〔以下、（ｄ）成分という〕を配合することが好ましく、マグネシウムは塩又は遊離したイオンとして系中に存在するものであり、（ｂ）成分の対イオンとして配合してもよく、また水溶性のマグネシウム化合物として配合することができる。水溶性マグネシウム化合物としては、化学便覧基礎編II（改定３版）１６６頁，表８．４２、及び１９０頁，表８．４７に記載のマグネシウム化合物において２０℃における水への溶解度が１ｇ／１００ｇ以上、好ましくは１０ｇ／１００ｇ以上の化合物が好適である。これらの中でも本発明では、硫酸マグネシウム、塩化マグネシウム、炭酸マグネシウム、硝酸マグネシウム、酢酸マグネシウムが最も好適である。
【００３９】
本発明では、洗浄力を強化する目的から、（ｂ）成分及び（ｃ）成分以外の界面活性剤〔以下、（ｅ）成分という〕を含有することが好ましく、非イオン界面活性剤を用いることが好適である。（ｅ）成分として好ましい非イオン界面活性剤としては、下記一般式（９）の化合物を挙げることができる。
【００４０】
Ｒ９ａ−Ｏ−(Ｒ９ｂＯ)ｅ−Ｈ      （９）
〔式中、Ｒ９ａは、炭素数１１〜１８、好ましくは１１〜１５のアルキル基又はアルケニル基であり、Ｒ９ｂは炭素数２又は３のアルキレン基、好ましくはエチレン基である。ｅは６〜１００、好ましくは６〜２０の数を示す。〕
本発明では、貯蔵安定性を向上させる目的でハイドロトロープ剤〔以下、（ｆ）成分という〕を含有することが好ましい。ハイドロトロープ剤としては、トルエンスルホン酸、キシレンスルホン酸、クメンスルホン酸及びこれらのナトリウム、カリウム又はマグネシウム塩が良好であり、特にｐ−トルエンスルホン酸が良好である。
【００４１】
本発明では、貯蔵安定性を改善する目的、及び粘度調節剤として、（ａ）成分以外の溶剤〔以下、（ｇ）成分という〕を含有することができる。溶剤の具体的例としては、エタノール、イソプロピルアルコール、エチレングリコール、プロピレングリコール、ジエチレングリコール、ジプロピレングリコール、グリセリン、イソプレングリコール、プロピレングリコールモノメチルエーテル、プロピレングリコールモノエチルエーテルから選ばれる水溶性有機溶媒が好ましい。
【００４２】
＜液体洗浄剤組成物＞
本発明の液体洗浄剤組成物中における（ａ）〜（ｃ）成分の含有量は、以下のとおりである。
【００４３】
（ａ）成分の含有量は、洗浄時や濯ぎ時のぬるつき改善の点から、０．１〜１０質量％、好ましくは０．３〜７質量％、より好ましくは０．５〜５質量％である。
【００４４】
（ｂ）成分の含有量は、洗浄効果の点から、５〜５０質量％、好ましくは１０〜４５質量％、より好ましくは１０〜４０質量％である。
【００４５】
（ｃ）成分の含有量は、泡立ち性及び泡立ち持続性の点から、０．１〜３０質量％、好ましくは０．５〜２０質量％、より好ましくは１〜１５質量％である。
【００４６】
本発明の液体洗浄剤組成物中における（ａ）〜（ｃ）成分以外の成分の含有量は、以下のとおりである。
【００４７】
（ｄ）成分は、（ｂ）成分との相互作用により高い洗浄効果を得ることができ、更に（ａ）成分と併用することで、ぬるつきをより低減化することができるため好ましい。（ｄ）成分の含有量は、マグネシウムとして、好ましくは０．０１〜２質量％、より好ましくは０．０５〜１質量％、特に好ましくは０．１〜１質量％である。また、（ｂ）成分及び（ｄ）成分（マグネシウムとして）のモル比〔（ｂ）／（ｄ）〕は、好ましくは３００／１〜１／１、より好ましくは１００／１〜１／１、特に好ましくは５０／１〜２／１である。
【００４８】
（ｅ）成分は、洗浄効果の増強、及び貯蔵安定性を改善する目的から含有することが好ましく、特に一般式（８）の化合物は、上記の効果に優れている。しかしながら、多量配合は食器洗浄時のぬるつきを助長し、（ａ）成分の効果を減じる傾向にある。このために（ｅ）成分の含有量は、好ましくは０．１〜２０質量％、更に０．５〜１５質量％、特に１．０〜１５質量％が好適である。
【００４９】
（ｆ）成分は、貯蔵安定性の点から含有することが好ましく、（ｆ）成分の含有量は、好ましくは０．１〜１０質量％、より好ましくは１〜１０質量％、特に好ましくは２〜６質量％である。
【００５０】
（ｇ）成分は、貯蔵安定性の向上の点で好ましく、また粘度調節剤としても有効である。（ｇ）成分の含有量は、好ましくは１〜２０質量％、より好ましくは５〜２０質量％、特に好ましくは５〜１５質量％である。
【００５１】
本発明の組成物は、上記した成分を水に溶解又は分散させた液状の形態であり、水の含有量は、貯蔵安定性の点から、好ましくは２０〜６０質量％、より好ましくは３０〜６０質量％、更に好ましくは４０〜６０質量％、特に好ましくは４５〜５５質量％である。
【００５２】
本発明の組成物の２０℃におけるｐＨは、好ましくは６〜８、より好ましくは６．５〜７．５にすることが貯蔵安定性や皮膚への安全性の点から好ましい。
【００５３】
ｐＨ調整剤としては、塩酸や硫酸等無機酸や、クエン酸、コハク酸、リンゴ酸、フマル酸、酒石酸、マロン酸、、マレイン酸等の有機酸等の酸剤や、水酸化ナトリウムや水酸化カリウム、アンモニアやその誘導体、モノエタノールアミンやジエタノールアミン、トリエタノールアミン等のアミン塩等、炭酸ナトリウム、炭酸カリウム等のアルカリ剤を単独もしくは複合して用いることが好ましく、特に塩酸、硫酸、クエン酸から選ばれる酸と水酸化ナトリウムや水酸化カリウムから選ばれるアルカリ剤を用いることが好ましい。いずれの化合物も、粘度特性に対し大きな影響のない範囲で配合される。
【００５４】
本発明の組成物は、使い勝手の点から、２０℃における粘度は、好ましくは１０〜１０００ｍＰａ・ｓ、より好ましくは３０〜７００ｍＰａ・ｓ、特に好ましくは５０〜５００ｍＰａ・ｓである。このような粘度の範囲は、例えば上記（ｆ）成分、（ｇ）成分等を用いて調整することができる。
【００５５】
本発明でいう粘度は、以下のようにして測定する。まずＴＯＫＩＭＥＣ.ＩＮＣ製Ｂ型粘度計モデルＢＭに、ローター番号Ｎｏ.２のローターを備え付けたものを準備する。試料をトールビーカーに充填し、恒温槽内にて２０℃に調整する。恒温に調整された試料を粘度計にセットする。ローターの回転数を６０ｒ／ｍに設定し、回転を始めてから６０秒後の粘度を本発明の粘度とする。
【００５６】
その他の成分としては、粘度特性に影響のない限り、通常液体洗浄剤に配合されている成分、例えば、香料成分、除菌成分、防腐剤、濁り剤、着色剤を配合することができる。
【００５７】
本発明の液体洗浄剤組成物は、食器、調理器具の洗浄、台所回りの洗浄等の硬質表面用（特に台所用）の液体洗浄剤組成物として好適である。
【００５８】
本発明の液体洗浄剤組成物は、スポンジ等の可撓性材料（好ましくは水を含む）に染み込ませ、直接食器や調理用器具等の硬質表面に接触させて洗浄を行う方法において、泡立ち性及び泡の持続性に優れ、洗浄時の食器や調理用器具のぬるつきを抑制することができ、濯ぎ時にはぬるつきが速やかに除去できる。
【実施例】
【００５９】
表１に本発明の効果を有する台所用液体洗浄剤組成物の配合例を示す。
【００６０】
【表１】
2005171060.tif 000007
【００６１】
（注）表中の記号は以下のものを表す。
・ａ−１：イソノニルモノグリセリルエーテル
・ａ−２：イソデシルモノグリセリルエーテル
・ａ−３：２−メチル−１，２−ノナンジオール
・ａ−４：グルコースとモノメチルアミンから得られたイミンを水素化することで得られたグルコースアミンを２−エチルヘキサン酸と反応させて得られた化合物
・ａ−５：２−エチルヘキサン酸モノグリセリド（ジグリセリド及びトリグリセリドとの混合物、グリセリド中のモノグリセリドの含有量は８０質量％）
・ａ−６：２−エチル−１，３−ヘキサンジオール
・ＥＳ−Ｉ：ポリオキシエチレンアルキルエーテル硫酸エステルナトリウム〔原料アルコールは、１−デセン及び１−ドデセン５０／５０（質量比）を原料にヒドロホルミル化して得られたアルコールである。このアルコールにＥＯを平均２モル付加させた後、三酸化イオウにより硫酸化し、水酸化ナトリウムで中和した。全ポリオキシエチレンアルキルエーテル硫酸エステルナトリウム中の全ポリオキシエチレン分岐鎖アルキルエーテル硫酸エステルナトリウムの割合は４２質量％であった。〕
・ＡＯ−Ｉ：Ｎ−デシル−Ｎ，Ｎ−ジメチルアミンオキシド／Ｎ−ラウリル−Ｎ，Ｎ−ジメチルアミンオキシド／Ｎ−ミリスチル−Ｎ，Ｎ−ジメチルアミンオキシド＝２５／５０／２５（質量比）
・ＡＯ−II：Ｎ−ラウリン酸アミドプロピル−Ｎ，Ｎ−ジメチルアミンオキシド
・スルホベタイン：Ｎ−ラウリル−Ｎ，Ｎ−ジメチル−Ｎ−（２−ヒドロキシ−１−スルホプロピル）アンモニウムスルホベタイン
・ＤＥＡ−Ｉ：パーム核油脂肪酸ジエタノールアミド
・ノニオン−Ｉ：炭素数１２、１３混合アルキル２級アルコールに、ＥＯを平均７モル付加させたもの（ソフタノール７０Ｈ、日本触媒株式会社製）
・ノニオン−II：アルキル基の組成が炭素数１２／炭素数１４＝６０／４０（モル比）混合アルキルで、グルコシド平均縮合度１．５のアルキルグルコシド
・ｐ−ＴＳ：ｐ−トルエンスルホン酸ナトリウム
・ＰＧ：プロピレングリコール
・防腐剤：プロキセルＢＤＮ（アビシア株式会社製）
・香料：表２に示す成分
・ｐＨ：１Ｎ−硫酸水溶液又は１Ｎ−水酸化ナトリウムを用いて調整した。
【００６２】
【表２】
2005171060.tif 000008